(57)【要約】【課題】テレビジョン受信機等のホスト機器において、撮影機能、及びその撮影した映像を表示する機能を、本体のソフトウェアを改変せずに追加するのは困難であった。【解決手段】小型メモリカードインタフェース装置１０は、ホスト機器２０からの制御信号を検出して、ホスト機器２０との接続を切り離すホスト接続制御部１３と、小型メモリカード３０内のファイルにアクセスするアクセス制御部１４と、周囲を撮影する撮像部１５と、撮影した映像情報をホスト機器２０で表示可能なデータ形式に変換するデータ変換部１６と、ホスト機器２０を切り離した後に、データ変換部１６の出力情報を、小型メモリカード３０に記録する記録制御部１７とを備える。【選択図】図１
2008072432.tif 000002
【特許請求の範囲】
【請求項１】
小型メモリカードとのカード接続インタフェースと、小型メモリカードを接続するインタフェースを有するホスト機器とのホスト接続インタフェースとを備えた小型メモリカードインタフェース装置であって、
前記ホスト機器からの制御信号を検出して、前記ホスト接続インタフェースを切り離すホスト接続制御部と、
前記小型メモリカード内のファイルにアクセスするアクセス制御部と、
周囲を撮影する撮像部と、
前記撮像部で撮影した映像情報を、前記ホスト機器で表示可能なデータ形式に変換するデータ変換部と、
前記ホスト接続制御部を用いて前記ホスト機器を切り離した後に、前記データ変換部の出力情報を、前記前記アクセス制御部を用いて前記小型メモリカードに記録する記録制御部とを備える小型メモリカードインタフェース装置。
【請求項２】
周囲の温度や湿度を含む環境情報を測定する環境測定部をさらに備え、
前記データ変換部は、前記環境測定部で測定した環境情報を、前記ホスト機器で表示可能なデータ形式に変換する小型メモリカードインタフェース装置。
【発明の詳細な説明】
【技術分野】
【０００１】
本発明は、近年急速に増えているデジタル放送を受信するテレビジョン受信機に接続して使用する小型メモリカードインタフェース装置に関するものである。
【背景技術】
【０００２】
近年、デジタル放送を受信するテレビジョン受信機において、小型メモリカードスロットを有し、小型メモリカード内に格納された静止画、動画等を、画面上に表示する機能を備えたテレビジョン受信機が普及してきている。テレビジョン受信機は、電源オン後に小型メモリカード内のファイルシステムを確認し、格納されているＪＰＥＧ形式の静止画データや、ＭＰＥＧ２、ＭＰＥＧ４、もしくはＨ．２６４形式の映像データや、ＨＴＭＬ形式のデータを表示する。
【０００３】
小型メモリカードへのアクセス機能以外を提供する規格はメモリの規格とは別に存在するため、メモリアクセスのフォーマット以外の情報、例えば環境データ伝送であるとか、ＣＭＯＳセンサなどの動画カメラなどを接続して、これらの情報をテレビジョン受信機で閲覧することは不可能であった。テレビジョン受信機上で、これらの情報を閲覧するために、例えば特許文献１の発明では、メモリカードで未使用の信号線を使用することにより、特定の規格に従うメモリカードとの接続の代わりに、別の規格に従うシリアル通信を用いて、通信用カードアダプタ経由でＰＣ等との通信を行うことにより、テレビジョン受信機による他の情報へのアクセスを実現している。
【特許文献１】特開２００３−０８２４０５号公報
【発明の開示】
【発明が解決しようとする課題】
【０００４】
しかしながら、特許文献１の発明を実現するためには、未使用の信号線をシリアル通信で用いるためのシリアルコントローラ等の構成が必要となり、テレビジョン受信機本体において、ハードウェアおよびソフトウェアの改変が必要となるという課題があった。
【課題を解決するための手段】
【０００５】
上記課題を解決するために、本発明の小型メモリカードインタフェース装置は、小型メモリカードとのカード接続インタフェースと、小型メモリカードを接続するインタフェースを有するホスト機器とのホスト接続インタフェースとを備えた小型メモリカードインタフェース装置であって、前記ホスト機器からの制御信号を検出して、前記ホスト接続インタフェースを切り離すホスト接続制御部と、前記小型メモリカード内のファイルにアクセスするアクセス制御部と、周囲を撮影する撮像部と、前記撮像部で撮影した映像情報を、前記ホスト機器で表示可能なデータ形式に変換するデータ変換部と、前記ホスト接続制御部を用いて前記ホスト機器を切り離した後に、前記データ変換部の出力情報を、前記前記アクセス制御部を用いて前記小型メモリカードに記録する記録制御部とを備える。
【発明の効果】
【０００６】
以上の構成により、既存のテレビジョン受信機を用いて、写真、動画、あるいはＨＴＭＬファイルを経由して、カメラで撮影した映像等の閲覧機能を提供することができる。
【発明を実施するための最良の形態】
【０００７】
以下本発明の実施の形態について図面を参照しながら説明する。
【０００８】
（実施の形態１）
図１は、本発明の実施の形態１における小型メモリカードインタフェース装置、ホスト機器、小型メモリカードの構成を示すブロック図である。ホスト機器として、テレビジョン受信機、ＰＣ等があり、小型メモリカードとして、ＳＤメモリカード等がある。
【０００９】
１１は、小型メモリカードインタフェース装置１０を、ホスト機器２０が有する小型メモリカードソケットに挿入し接続するためのホスト接続インタフェースである。１２は、小型メモリカードインタフェース装置１０に、小型メモリカード３０を挿入し接続するためのカード接続インタフェースである。
【００１０】
１３は、ホスト接続インタフェース１１を介した、ホスト機器２０と小型メモリカードインタフェース装置１０との接続の切り離し制御を行うホスト接続制御部であり、１４は、小型メモリカード３０内に存在するアクセスファイル３１にアクセスするためのカードアクセス制御部である。１５は、周囲を撮影し、映像情報を出力する撮像部であり、１６は、撮像部１５が出力する映像情報を、ホスト機器２０で表示可能なデータ形式に変換するデータ変換部であり、１７は、データ変換部１６で変換した映像情報を、カードアクセス制御部１４を介して、小型メモリカード３０内に記録する記録制御部である。
【００１１】
以下、図２を用いて、小型メモリカードインタフェース装置１０の動作について説明する。
【００１２】
ホスト機器２０の電源をＯＮ（ステップ１００）することで、小型メモリカードインタフェース装置１０はホスト機器２０との接続が確保される（ステップ１０１）。ホスト機器２０は、小型メモリカードインタフェース装置１０に格納・接続されている小型メモリカード３０に、小型メモリカードインタフェース装置１０を介してアクセスし、小型メモリカード３０のファイルシステムを認識（ステップ１０２）した後、切断用制御信号を送信する。小型メモリカードインタフェース装置１０のホスト接続制御部１３は、切断用制御信号を検出して、ホスト機器２０と小型メモリカードインタフェース装置１０との接続を切り離す（ステップ１０３）。
【００１３】
その後、小型メモリカードインタフェース装置１０は、撮像部１５により周囲の状況の撮影を開始する（ステップ１０４）。データ変換部１６は、撮像部１５が出力する映像情報を、ホスト機器２０で表示可能なＭＰＥＧ２等のデータ形式に変換し（ステップ１０５）、記録制御部１７は、変換後の映像情報を、カードアクセス制御部１４を介して、小型メモリカード３０内に記録する（ステップ１０６）。
【００１４】
小型メモリカードインタフェース装置１０は、ホスト接続制御部１３を用いて、周期的にホスト機器２０に接続し、ホスト機器２０からのアクセス要求の有無を確認する（ステップ１０７）。アクセス要求が存在する場合には、接続を維持し、ホスト機器２０から小型メモリカード内のファイルへのアクセスを可能とする。
【００１５】
以上の構成により、小型メモリカードインタフェース装置を用いることによって、テレビジョン受信機が設置されたリビング等への侵入者を監視する監視カメラ機能を提供でき、さらにこの監視カメラで撮影された映像を、既存のテレビジョン受信機を用いて、テレビジョン受信機のハードウェアおよびソフトウェアの改変することなしに、閲覧することができる。
【００１６】
（実施の形態２）
図３は、本発明の実施の形態１における小型メモリカードインタフェース装置、ホスト機器、小型メモリカードの構成を示すブロック図である。図３において、環境測定部１８を除いて、図１と同じ構成要素であり、説明を省略する。環境測定部１８は、周囲の温度や湿度等の環境情報を測定する。
【００１７】
以下、図４を用いて、小型メモリカードインタフェース装置１０の動作について説明する。
【００１８】
ホスト機器２０の電源をＯＮ（ステップ２００）することで、小型メモリカードインタフェース装置１０はホスト機器２０との接続が確保される（ステップ２０１）。ホスト機器２０は、小型メモリカードインタフェース装置１０に格納・接続されている小型メモリカード３０に、小型メモリカードインタフェース装置１０を介してアクセスし、小型メモリカード３０のファイルシステムを認識（ステップ２０２）した後、切断用制御信号を送信する。小型メモリカードインタフェース装置１０のホスト接続制御部１３は、切断用制御信号を検出して、ホスト機器２０と小型メモリカードインタフェース装置１０との接続を切り離す（ステップ２０３）。
【００１９】
その後、小型メモリカードインタフェース装置１０は、環境測定部１８により、周囲の温度や湿度等の環境情報を測定する（ステップ２０４）。データ変換部１６は、環境測定部１８が出力する環境情報を、ホスト機器２０で表示可能なデータ形式であるＨＴＭＬ形式に変換し（ステップ２０５）、記録制御部１７は、変換後のＨＴＭＬファイルを、カードアクセス制御部１４を介して、小型メモリカード３０内に記録する（ステップ２０６）。
【００２０】
小型メモリカードインタフェース装置１０は、ホスト接続制御部１３を用いて、周期的にホスト機器２０に接続し、ホスト機器２０からのアクセス要求の有無を確認する（ステップ２０７）。アクセス要求が存在する場合には、接続を維持し、ホスト機器２０から小型メモリカード内のファイルへのアクセスを可能とする。
【００２１】
以上の構成により、小型メモリカードインタフェース装置を用いることによって、テレビジョン受信機が設置されたリビング等の温度、湿度等の環境情報を記録する環境測定機能を提供でき、さらに記録した環境情報を、既存のテレビジョン受信機を用いて、テレビジョン受信機のハードウェアおよびソフトウェアの改変することなしに、閲覧することができる。
【産業上の利用可能性】
【００２２】
本発明の小型メモリカードインタフェース装置は、テレビジョン受信機のみならず、ＰＣ、デジタルカメラ等の小型メモリカードの接続インタフェースを備える機器において、小型メモリカードスロットに挿入・接続して、新規の機能を追加することができ、有用である。
【図面の簡単な説明】
【００２３】
【図１】本発明の一実施の形態における小型メモリカードインタフェース装置の構成を示すブロック図
【図２】本発明の一実施の形態における小型メモリカードインタフェース装置の動作を示すフローチャート
【図３】本発明の他の実施の形態における小型メモリカードインタフェース装置の構成を示すブロック図
【図４】本発明の他の実施の形態における小型メモリカードインタフェース装置の動作を示すフローチャート
【符号の説明】
【００２４】
１０    小型メモリカードインタフェース装置
１１    ホスト接続インタフェース
１２    カード接続インタフェース
１３    ホスト接続制御部
１４    カードアクセス制御部
１５    撮像部
１６    データ変換部
１７    記録制御部
１８    環境測定部
２０    ホスト機器
３０    小型メモリカード
３１    アクセスファイル
【図１】
2008072432.tif 000003
【図２】
2008072432.tif 000004
【図３】
2008072432.tif 000005
【図４】
2008072432.tif 000006